(57)【要約】【課題】  餌皿を支持するところの支持枠を、餌皿を受ける使用位置と、餌皿の不要時に棒部材に沿設される非使用位置とに回動可能に構成することにより、支持枠のケージ内への常時突出によりペットケージ内が狭くなるのを防止することができるペットケージの餌皿取付構造の提供を目的とする。【解決手段】  ペットケージ１の棒部材２に餌皿３を取付けるペットケージの餌皿取付け構造であって、上記棒部材２をケージ内側とケージ外側とから狭持する内側部材１０と外側部材２０とを設け、上記内側部材１０には餌皿３を支持する支持枠３０を設け、該支持枠３０は餌皿３を受ける使用位置αと、餌皿３の不要時に棒部材２に沿設される非使用位置βとに回動可能に構成したことを特徴とする。【選択図】  図２
0003103949.tif 000002
【実用新案登録請求の範囲】
【請求項１】
ペットケージの棒部材に餌皿を取付けるペットケージの餌皿取付け構造であって、
上記棒部材をケージ内側とケージ外側とから狭持する内側部材と外側部材とを設け、
上記内側部材には餌皿を支持する支持枠を設け、該支持枠は餌皿を受ける使用位置と、餌皿の不要時に棒部材に沿設される非使用位置とに回動可能に構成した
ペットケージの餌皿取付け構造。
【請求項２】
上記支持枠はＣ字状の皿受け部と、該Ｃ字状の皿受け部の両端に一体形成された対称Ｌ字状の枢支部とを有し、一対の枢支部が内側部材に回動可能に枢支され
請求項１記載のペットケージの餌皿取付け構造。
【請求項３】
上記内側部材には、支持枠を使用位置に保持するストッパと、支持枠の非使用位置側への回動を規制する規制部とが設けられ、
一対の枢支部を近接方向に操作して上記規制部を乗り越えた時、支持枠の非使用位置への回動を許容すべく構成した
請求項１または２記載のペットケージの餌皿取付け構造。
【請求項４】
上記ペットケージの棒部材の間隔の差異に対応すべく上記内側部材には複数の凹凸部が形成された
請求項１〜３の何れか１に記載のペットケージの餌皿取付け構造。
【請求項５】
上記凹凸部は棒部材の長手方向に沿って延びる三角形状または波形状の凹凸部に設定された
請求項４記載のペットケージの餌皿取付け構造。
【請求項６】
上記内側部材および外側部材の何れか一方にはネジ部が一体形成され、何れか他方にはナット部が一体部形成された
請求項１〜５の何れか１に記載のペットケージの餌皿取付け構造。
【請求項７】
上記餌皿の外周部にはＣ字状の皿受け部を上下から保持する少なくとも２つの側面視コ字状の保持部が形成され、
保持部の下片の長さは上記支持枠の対称Ｌ字状の枢支部の離間間隔以下に設定された
請求項２〜６の何れか１に記載のペットケージの餌皿取付け構造。
【考案の詳細な説明】
【技術分野】
【０００１】
この考案は、ペットケージを構成する棒部材に対して餌皿を取付けるようなペットケージの餌皿取付け構造に関する。
【背景技術】
【０００２】
一般にペットケージは四方の側面と天面とが離間装置された複数の棒部材にて囲繞されており、このペットケージの内部床面に餌皿を置いた場合には、ペットの挙動によって餌皿が引っ繰り返され、餌皿内の水やペットフードが流出する。
【０００３】
このような問題点を解決するために既に特許文献１に記載のペットケージの餌皿取付け構造が考案されている。
【０００４】
すなわち、ペットケージを構成する棒部材を挟んで内外に対峙する内板と外板とを設け、上記内板には餌皿を支持する円環状のリングを固定すると共に、内板に一体形成されたボルトに対して外板を介して外方からナットを締付けることで、内板と外板との間で２本の棒部材を狭持すべく構成したものである。
【０００５】
この従来構造によれば、ペットに餌をやり終えた時、上記リングから餌皿を取外すと、餌皿が引っ繰り返されるのを防止することができる利点がある反面、上述のリングは内板に固定され常時、ペットケージ内に突出しているので、この分、ペットケージ内が狭くなり、またペットの挙動により、リングが変形したり、或はペットがリングにより負傷したりする懸念があった。  
【特許文献１】実用新案登録第３０５４３８４号公報
【考案の開示】
【考案が解決しようとする課題】
【０００６】
そこで、この考案は餌皿を支持するところの支持枠を、餌皿を受ける使用位置と、餌皿の不要時に棒部材に沿設される非使用位置とに回動可能に構成することにより、支持枠のケージ内への常時突出によりペットケージ内が狭くなるのを防止することができるペットケージの餌皿取付構造の提供を目的とする。
【課題を解決するための手段】
【０００７】
この考案によるペットケージの餌皿取付け構造は、ペットケージの棒部材に餌皿を取付けるペットケージの餌皿取付け構造であって、上記棒部材をケージ内側とケージ外側とから狭持する内側部材と外側部材とを設け、上記内側部材には餌皿を支持する支持枠を設け、該支持枠は餌皿を受ける使用位置と、餌皿の不要時に棒部材に沿設される非使用位置とに回動可能に構成したものである。
【０００８】
上記構成によれば、上述の支持枠を、餌皿を受ける使用位置と、餌皿の不要時においてペットケージの棒部材に沿設される非使用位置とに択一的に回動設定することができ、これにより、支持枠がケージ内に常時突出することに起因するペットケージ内の狭小化を防止することができ、またペットの挙動によって支持枠が変形するのを防止することができる。
【０００９】
この考案の一実施態様においては、上記支持枠はＣ字状の皿受け部と、該Ｃ字状の皿受け部の両端に一体形成された対称Ｌ字状の枢支部とを有し、一対の枢支部が内側部材に回動可能に枢支されたものである。
【００１０】
上記構成によれば、Ｃ字状の皿受け部と、左右対称のＬ字状の枢支部とを一体形成したので、支持枠を一部材にて構成することができ、部品点数の削減を図ることができる。
【００１１】
この考案の一実施態様においては、上記内側部材には、支持枠を使用位置に保持するストッパと、支持枠の非使用位置側への回動を規制する規制部とが設けられ、一対の枢支部を近接方向に操作して上記規制部を乗り越えた時、支持枠の非使用位置への回動を許容すべく構成したものである。
【００１２】
上記構成によれば、ストッパと規制部とで支持枠をその使用位置に確実に保持することができ、しかも、簡単な操作（一対の枢支部を近接方向に操作して規制部を乗り越える操作）により支持枠を非使用位置へ回動させることができる。
【００１３】
この考案の一実施態様においては、上記ペットケージの棒部材の間隔の差異に対応すべく上記内側部材には複数の凹凸部が形成されたものである。  
上記構成によれば、ペットケージの棒部材相互間の間隔が多少異なっていても、内側部材には複数の凹凸部が形成されているので、内外両部材により棒部材を確実に狭持することができる。
【００１４】
この考案の一実施態様においては、上記凹凸部は棒部材の長手方向に沿って延びる三角形状または波形状の凹凸部に設定されたものである。  
上記構成によれば、内側部材と外側部材とでペットケージの棒部材を狭持する時、棒部材が三角形状または波形状の凹凸部における凹部内に入り込むので強固な狭持力が得られ、棒部材をより一層強固に狭持することができると共に、棒部材の間隔の差異にも対応することができる。
【００１５】
この考案の一実施態様においては、上記内側部材および外側部材の何れか一方にはネジ部が一体形成され、何れか他方にはナット部が一体部形成されたものである。
【００１６】
上記構成によれば、内側部材と外側部材には、ネジ部またはナット部を一体形成したので、部品点数および組付け工数の削減を図ることができる。  
この考案の一実施態様においては、上記餌皿の外周部にはＣ字状の皿受け部を上下から保持する少なくとも２つの側面視コ字状の保持部が形成され、保持部の下片の長さは上記支持枠の対称Ｌ字状の枢支部の離間間隔以下に設定されたものである。
【００１７】
上記構成によれば、一方の保持部でＣ字状の皿受け部を保持した後に、他方の保持部を対称Ｌ字状の枢支部の空間内に配置し、次に餌皿をＣ字状の皿受け部に沿って、所定角度回動操作すると、餌皿をＣ字状の皿受け部に対して上下左右の何れの方向にも位置ずれしないように位置決め保持することができ、使用状態下における餌皿の脱落を確実に防止することができる。
【００１８】
また、上述と逆の操作、すなわち、上記餌皿を所定角度回動させて他方の保持部を対称Ｌ字状の枢支部の空間から外した後に、一方の保持部をＣ字状の皿受け部から外すと、餌皿を簡単に取外すことができる。
【００１９】
要するに、餌皿の着脱が簡単なうえ、餌皿を支持枠のＣ字状の皿受け部にセットした状態下（取付け状態下）においては、該餌皿は上下左右の何れの方向にも位置ずれしないので、ペットの挙動により取付け状態下の餌皿が支持枠から脱落することがない。
【考案の効果】
【００２０】
この考案によれば、餌皿を支持するところの支持枠を、餌皿を受ける使用位置と、餌皿の不要時に棒部材に沿設される非使用時位置とに回動可能に構成することにより、支持枠のケージ内への常時突出によりペットケージ内が狭くなるのを防止することができる効果がある。
【考案を実施するための最良の形態】
【００２１】
支持枠のケージ内への常時突出によりペットケージ内が狭くなるのを防止するという目的を、餌皿を支持するところの支持枠を、餌皿を受ける使用位置と、餌皿の不要時に棒部材に沿設される非使用位置とに回動可能に構成するという構造にて実現した。
【実施例】
【００２２】
この考案の一実施例を以下図面に基づいて詳述する。  
図面はペットケージの餌皿取付け構造を示し、図１〜図４において、この餌皿取付け構造は、図３に示すペットケージ１の棒部材２に対して餌皿３を取付けるためのものである。
【００２３】
ペットケージ１は四方の側面と天面とが離間配置された複数の棒部材２にて囲繞されるように構成している。なお、図面では図示の便宜上、その一部のみを示す。
【００２４】
餌皿３は図１〜図４に示すように合成樹脂等により椀形状に形成され、その上端外周部にはフランジ部４が一体形成されると共に、この餌皿３のフランジ部４の下方２箇所には図４に示すように、所定量外方へ突出する下片５，５を一体形成して、上述のフランジ部４の一部と下片５，５とで、側面視コ字状の保持部６，６を形成している。
【００２５】
この餌皿３を上下方向に延びる複数棒部材２，２に取付けるための餌皿取付け構造は、図１、図５に示すように、棒部材２をケージ１の内側とケージ２の外側とから狭持する内側部材１０と外側部材２０と、餌皿３を支持する支持枠としてのフレーム３０との合計３部材により構成されている。
【００２６】
内側部材１０および外側部材２０の説明に先立って、まずフレーム３０の構成について説明すると、このフレーム３０はＣ字状の皿受け部としてのリング部３１と、このリング部３１の両端に一体形成された左右対称構造のＬ字状の枢支部３２，３２（以下単にＬ字部と略記する）とを有するものである。
【００２７】
つまり、金属丸棒を加工して上述のリング部３１と左右一対のＬ字部３２，３２とを一体形成したもので、左右のＬ字部３２，３２間には、これらＬ字部３２，３２が互いに近接する方向に移動操作できるように空間部３３が形成されている。
【００２８】
ここで、図４で示した餌皿３側の保持部６，６はフレーム３０のリング部３１を上下から保持し得る大きさに形成されており、また保持部６の下片５の長さＬ１（図１参照）は、フレーム３０の左右のＬ字部３２，３２の離間間隔Ｌ２（図５参照）以下に設定されている。
【００２９】
次に、図１、図５、図６、図７、図８を参照して内側部材１０の構造について詳述する。  
この内側部材１０は鍔状のベース部１１と、このベース部１１からペットケージ１内方へ突出する左右の側壁１２，１２と、左右の側壁１２，１２の底部側を連設する底壁１３と、ベース部１１の背面つまり棒部材２側の面に突設形成されたネジ部１４とが合成樹脂により一体形成されたものである。
【００３０】
また、上述の左右の側壁１２，１２の内面と底壁１３の上面とにわたって正面視Ｌ字状の前後のリブ１５，１５が一体形成されていて、このリブ１５の下片部１５ａがフレーム３０を使用位置に保持するストッパに設定されている。
【００３１】
さらに後側のリブ１５（図７に示す図示右側のリブ１５）に隣接する位置に対応して左右の側壁１２，１２にはフレーム３０のＬ字部３２，３２を回動可能に挿入する枢支孔１６，１６が形成されている。
【００３２】
また、上述の左右の側壁１２，１２の内面前端部には、フレーム３０の非使用位置側への回動を規制する規制部１７，１７が一体形成されている。  
これら一対の規制部１７，１７のうちの一方の規制部１７の拡大図を図９に示すように、該規制部１７は、側壁１２の内面１２ａから内方が高くなるテーパ部１７ａと、下部側の突出量が大で、上部側の突出量が小となるテーパ部１７ｂとを有し、各テーパ部１７ａ，１７ｂ間をアール部１７ｃで連接すると共に、テーパ部１７ｂの上端と側壁１２とはアール部１７ｄで連接している。
【００３３】
しかも、上述の内側部材１０におけるベース部１１の背面には、ペットケージ１の棒部材２，２の間隔の差異に対応すべく複数の凹凸部１８が形成されている。
【００３４】
この凹凸部１８は図５、図８に示すように棒部材２の長手方向に沿って延びる三角形状の凹凸部に設定されている。  
なお上述の底壁１３の下面中央部にはベース部１１まで延びる補強用のリブ１９が一体形成されている。
【００３５】
このように構成した内側部材１０の枢支孔１６，１６に対して、フレーム３０の左右一対のＬ字部３２，３２が回動可能に挿入される。  
次に図３、図５を参照して外側部材２０の構造について詳述する。  
この外側部材２０は、円板状のベース部２１と、このベース部２１の中央部に形成されたネジ孔２２を含むナット部２３と、これらの背面側に形成されたツマミ２４とを、合成樹脂により一体形成したものである。
【００３６】
上述のベース部２１の前面には円環状のリブ２５が一体形成されているが、このリブ２５は省略してもよい。  
図５に示すフレーム３０、内側部材１０、外側部材２０をペットケージ１の複数の棒部材２，２に取付けるには、まず、フレーム３０のＬ字部３２，３２を内側部材１０の枢支孔１６，１６に回動可能に挿入する。
【００３７】
次に、フレーム３０が組付けられた内側部材１０をペットケージ１の内側に位置させて、ペットケージ１の外側から内側部材１０のネジ部１４に対して外側部材２０のナット部２３を締付けると、図１に示すように２本の棒部材２，２が両部材１０，２０間で狭持される。
【００３８】
この場合、２本の棒部材２，２は内側部材１０の三角形状の凹凸部１８に喰込むように入り込むので、両部材１０，２０間で棒部材２，２を強固に狭持することができる。
【００３９】
上述の内側部材１０と外側部材２０とで棒部材２，２に支持されたフレーム３０は、図２に実線で示す使用位置αと、同図に仮想線で示す非使用位置βとに、回動可能に構成されている。
【００４０】
そこで、上述のフレーム３０に対して餌皿３を取付ける場合には、図１０に示すようにフレーム３０を餌皿３を受ける略水平な使用位置に回動操作する。  
上述のフレーム３０を図１０に示すように略水平にセットすると、このフレーム３０はストッパとして機能するリブ１５の下片部１５ａと、規制部１７とで上下方向の動きが規制され、定位置としての略水平状態の姿勢を保持することができる。
【００４１】
図１０に示すフレーム３０に対して餌皿３を取付けるには、一方の保持部６でリング部３１を保持した後に、図１１に示すように他方の保持部６を左右一対のＬ字部３２，３２間の空間部３３に位置させ、次に餌皿３をリング部３１に沿って所定角度回動操作すると、図１〜図４に示すように、この餌皿３をリング部３１に対して上下左右の何れの方向にも位置ずれしないように保持することができ、
使用状態下における餌皿３の脱落を防止るすることができる。
【００４２】
餌皿３の不使用に際して、この餌皿３をリング部３１から取外す場合には、餌皿３を図１〜図４に示す状態から図１１に示すように所定角度回動させて、他方の保持部６の下片５を左右のＬ字部３２，３２の空間部３３対向位置に位置させ、次に図１１の状態から図１０に示すように他方の保持部６の下片５を上方に外した後に、一方の保持部６をリング部３１から離反させると、餌皿３を簡単に取外すことができる。
【００４３】
このようにして餌皿３が取外された後に、フレーム３０を図２に示す非使用位置βに回動操作するには、一対のＬ字部３２，３２をこれらの近接方向に操作して、これら一対のＬ字部３２，３２が規制部１７，１７を乗り越えるように上方に回動操作すると、フレーム３０は規制部１７，１７を乗り越えた後に、図２に仮想線で示すように棒部材２に対して略平行に沿設される非使用位置βに起立回動し、このフレーム３０の不所望の内倒れはリブ１５によって防止される。
【００４４】
なお、内側部材１０のベース部１１背面に一体形成される複数の凹凸部１８は図５で示した三角形状の凹凸部に代えて、図１２に示すような棒部材２の長手方向に沿って延びる波形状の凹凸部１８であってもよい。また図２において餌皿３以外の各要素つまりフレーム３０、内側部材１０、外側部材２０を図２の状態と上下逆向きに取付けると、使用位置αは図２と動揺に略水平状態となり、非使用位置βは枢支孔１６から下方に延び、かつ棒部材２に対して略平行な状態となる。このように上下逆向きに取付けた場合においてもフレーム３０の非使用位置β側への移動が規制部１７で規制されているので何等問題なく使用することができる。
【００４５】
このように上記実施例のペットケージの餌皿取付け構造は、ペットケージ１の棒部材２に餌皿３を取付けるペットケージの餌皿取付け構造であって、上記棒部材２をケージ１内側とケージ１外側とから狭持する内側部材１０と外側部材２０とを設け、上記内側部材１０には餌皿３を支持するフレーム３０を設け、該フレーム３０は餌皿３を受ける使用位置αと、餌皿３の不要時に棒部材２に沿設される非使用位置βとに回動可能に構成したものである。
【００４６】
この構成によれば、上述のフレーム３０を、餌皿３を受ける使用位置αと、餌皿３の不要時においてペットケージ１の棒部材２に沿設される非使用位置βとに択一的に回動設定することができ、これにより、フレーム３０がケージ１内に常時突出することに起因するペットケージ１内の狭小化を防止することができ、またペット自の挙動によってフレーム３０が変形するのを防止することができる。
【００４７】
また、上記フレーム３０はＣ字状の皿受け部としてのリング部３１と、このリング部３１の両端に一体形成された左右対称構造のＬ字部３２とを有し、一対のＬ字部３２が内側部材１０に回動可能に枢支されたものである。
【００４８】
この構成によれば、リング部３１と、左右対称のＬ字部３２とを一体形成したので、フレーム３０を一部材にて構成することができ、部品点数の削減を図ることができる。
【００４９】
さらに、上記内側部材１０には、フレーム３０を使用位置αに保持するストッパ（リブ１５の下片部１５ａ参照）と、フレーム３０の非使用位置β側への回動を規制する規制部１７とが設けられ、一対のＬ字部３２を近接方向に操作して上記規制部１７を乗り越えた時、フレーム３０の非使用位置βへの回動を許容すべく構成したものである。
【００５０】
この構成によれば、ストッパ（リブ１５の下片部１５ａ参照）と規制部１７とでフレーム３０をその使用位置αに確実に保持することができ、しかも、簡単な操作（一対のＬ字部３２を近接方向に操作して規制部１７を乗り越える操作）によりフレーム３０を非使用位置βへ回動させることができる。
【００５１】
また、上記ペットケージ１の棒部材２の間隔の差異に対応すべく上記内側部材１０には複数の凹凸部１８が形成されたものである。  
この構成によれば、ペットケージ１の棒部材２，２相互間の間隔が多少異なっていても、内側部材１０には複数の凹凸部１８が形成されているので、内外両部材１０，２０により棒部材２を確実に狭持することができる。
【００５２】
さらに、上記凹凸部１８は棒部材２の長手方向に沿って延びる三角形状または波形状の凹凸部に設定されたものである。  
この構成によれば、内側部材１０と外側部材２０とでペットケージ１の棒部材２を狭持する時、棒部材２が三角形状または波形状の凹凸部１８における凹部内に入り込むので強固な狭持力が得られ、棒部材２をより一層強固に狭持することができると共に、棒部材２の間隔の差異にも対応することができる。
【００５３】
加えて、上記内側部材１０および外側部材２０の何れか一方にはネジ部１４が一体形成され、何れか他方にはナット部２３が一体部形成されたものである。  
この構成によれば、内側部材１０と外側部材２０には、ネジ部１４またはナット部２３を一体形成したので、部品点数および組付け工数の削減を図ることができる。
【００５４】
また、上記餌皿３の外周部にはＣ字状の皿受け部としてのリング部３１を上下から保持する少なくとも２つの側面視コ字状の保持部６，６が形成され、保持部６の下片５の長さＬ１は上記フレーム３０の対称構造のＬ字部３２の離間間隔Ｌ２以下に設定されたものである。
【００５５】
この構成によれば、一方の保持部６でリング部３１を保持した後に、他方の保持部６をＬ字部３２の空間部３３内に配置し、次に餌皿３をリング部３１に沿って、所定角度回動操作すると、餌皿３をリング部３１に対して上下左右の何れの方向にも位置ずれしないように位置決め保持することができ、使用状態下における餌皿３の脱落を確実に防止することができる。
【００５６】
また、上述と逆の操作、すなわち、上記餌皿３を所定角度回動させて他方の保持部６をＬ字部３２の空間部３３から外した後に、一方の保持部６をリング部３１から外すと、餌皿３を簡単に取外すことができる。
【００５７】
要するに、餌皿３の着脱が簡単なうえ、餌皿３をフレーム３０のリング部３１にセットした状態下（取付け状態）においては、該餌皿３は上下左右の何れの方向にも位置ずれしないので、ペットの挙動により取付け状態下の餌皿３がフレーム３０から脱落することがない。
【００５８】
この考案の構成と、上述の実施例との対応において、  
この考案の支持枠は、実施例のフレーム３０に対応し、  
以下同様に、  
Ｃ字状の皿受け部は、リング部３１に対応し、  
枢支部は、Ｌ字部３２に対応し、  
ストッパは、リブ１５の下片部１５ａに対応し、  
使用位置は、ほぼ水平な使用位置αに対応し、  
非使用位置は、棒部材２と平行に起立する非使用位置βに対応するも、  
この考案は、上述の実施例の構成のみに限定されるものではない。  
例えば、上記非使用位置βは使用位置αから下方に伏動して棒部材２とほぼ平行になる状態に設定してもよいことは勿論である。
【図面の簡単な説明】
【００５９】
【図１】本考案のペットケージの餌皿取付け構造を示す平面図。
【図２】図１のＡ−Ａ線矢視断面図。
【図３】図２の右側面図。
【図４】図１のＢ−Ｂ線矢視断面図。
【図５】支持枠、内側部材、外側部材を分解して示す平面図。
【図６】内側部材の正面図。
【図７】内側部材の右側面図。
【図８】内側部材の背面図。
【図９】規制部を示す拡大断面図。
【図１０】餌皿の取付け過程を示す側面図。
【図１１】餌皿の取付け過程を示す側面図。
【図１２】内側部材の他の実施例を示す拡大平面図。
【符号の説明】
【００６０】
１…ペットケージ
２…棒部材
３…餌皿
５…下片
６…保持部
１０…内側部材
１４…ネジ部
１５ａ…下片部（ストッパ）
１７…規制部
１８…凹凸部
２０…外側部材
２３…ナット部
３０…フレーム（支持枠）
３１…リング部（皿受け部）
３２…Ｌ字部（枢支部）
α…使用位置
β…非使用位置
【図１】
0003103949.tif 000003
【図２】
0003103949.tif 000004
【図３】
0003103949.tif 000005
【図４】
0003103949.tif 000006
【図５】
0003103949.tif 000007
【図６】
0003103949.tif 000008
【図７】
0003103949.tif 000009
【図８】
0003103949.tif 000010
【図９】
0003103949.tif 000011
【図１０】
0003103949.tif 000012
【図１１】
0003103949.tif 000013
【図１２】
0003103949.tif 000014